(57)【要約】【課題】  受信メールの取り扱いを柔軟に設定可能な利便性の良い電子メールサーバ装置を提供する。【解決手段】  メールを受信するメール受信部１４と、アカウント毎にメールの処理内容を示すメール処理情報を対応付けて記憶する管理テーブル２０と、メールを受信したとき、管理テーブル２０にアクセスし、メールの宛先のアカウントに対応するメール処理情報を取得し、メールに対する処理内容を判別する判定部１８と、判定部１８が判別した処理内容をメールに施す処理部３０と、を備える。【選択図】      図１
2006210995.tif 000002
【特許請求の範囲】
【請求項１】
メールを受信する受信部と、
アカウント毎に前記メールの処理内容を示すメール処理情報を対応付けて記憶する管理テーブルと、
前記メールを受信したとき、前記管理テーブルにアクセスし、前記メールの宛先のアカウントに対応する前記メール処理情報を取得し、前記メールに対する処理内容を判別する判別部と、
前記判別部が判別した前記処理内容を前記メールに施す処理部と、
を備えたことを特徴とする電子メールサーバ装置。
【請求項２】
請求項１に記載の電子メールサーバ装置において、
前記メールは、暗号化メールを含み、
前記管理テーブルは、アカウント毎に前記暗号化メールを復号するか否かを示す復号情報を対応付けて記憶し、
前記判別部は、前記暗号化メールを受信したとき、前記管理テーブルにアクセスし、前記暗号化メールの宛先のアカウントに対応する前記復号情報を取得し、前記暗号化メールを復号するか否かを判別し、
前記処理部は、前記判別部が前記暗号化メールを復号すると判別した前記暗号化メールを復号する復号部を含むことを特徴とする電子メールサーバ装置。
【請求項３】
請求項１または２に記載の電子メールサーバ装置において、
前記メールは、電子署名付き署名メールを含み、
前記管理テーブルは、アカウント毎に前記署名メールの前記電子署名をパス検証するか否かを示す検証情報を対応付けて記憶し、
前記判別部は、前記署名メールを受信したとき、前記管理テーブルにアクセスし、前記署名メールの宛先のアカウントに対応する前記検証情報を取得し、前記署名メールの前記電子署名をパス検証するか否かを判別し、
前記処理部は、前記判別部が前記署名メールをパス検証すると判別した前記署名メールをパス検証する検証部を含むことを特徴とする電子メールサーバ装置。
【請求項４】
請求項１乃至３いずれかに記載の電子メールサーバ装置において、
前記管理テーブルの変更指示を受け付ける受付部と、
前記受付部が受け付けた前記変更指示に従って、前記管理テーブルを変更する変更部と、
を含むことを特徴とする電子メールサーバ装置。
【請求項５】
請求項４に記載の電子メールサーバ装置において、
前記受信部が受信した前記メールを格納するメール格納部を含み、
前記管理テーブルは、前記メール格納部に格納されている前記メールに対して前記変更指示を受け付けたときに前記処理内容を実施するか否かを示す変更情報をアカウント毎に対応付けて記憶し、
前記判別部は、前記変更指示を受け付けたとき、前記管理テーブルにアクセスし、前記変更指示を受け付けたアカウントに対応する前記変更情報を取得し、前記メール格納部の前記メールに対して前記処理内容を実施するか否かを判別し、
前記処理部は、前記判別部が前記メール格納部の前記メールに対して前記処理内容を実施すると判別した前記アカウントの前記メールに対して前記処理内容を実施することを特徴とする電子メールサーバ装置。
【請求項６】
請求項１乃至５いずれかに記載の電子メールサーバ装置において、
前記処理部の前記処理内容の結果を記録する記録部を含むことを特徴とする電子メールサーバ装置。
【請求項７】
請求項６に記載の電子メールサーバ装置において、
前記記録部は、前記受信部が受信した前記メールに前記結果を挿入する挿入部を含むことを特徴とする電子メールサーバ装置。
【請求項８】
請求項６または７に記載の電子メールサーバ装置において、
前記記録部が記録した前記結果の履歴を記憶する履歴記憶を含むことを特徴とする電子メールサーバ装置。
【発明の詳細な説明】
【技術分野】
【０００１】
本発明は、電子メールサーバ装置に関し、特に、受信メールに対し所定の処理を施す機能を有する電子メールサーバ装置に関する。
【背景技術】
【０００２】
電子メールを暗号化してインターネットなどを介して他の端末に送信する技術としては、例えば特許文献１に記載されたものがある。同文献に記載された装置は、受信したデータを暗号化処理し、暗号化処理されたデータを添付ファイルとした電子メールを作成する機能を有する。
【特許文献１】特開２００２−１６４８７８号公報
【発明の開示】
【発明が解決しようとする課題】
【０００３】
このような暗号化された電子メールを、自動的に復号する機能を有する電子メールサーバ装置にあっては、暗号化を行うか否かは装置単位の設定であって、アカウント毎に設定を行うという発想はなかった。あるいは、受信メールに対し所定の処理を施す機能、たとえば、署名付きメールの署名のパス検証処理を自動的に行う機能を有する電子メールサーバ装置にあっても、検証を行うか否かは装置単位の設定であって、アカウント毎に設定を行うという発想はなかった。
【０００４】
したがって、暗号化された電子メールの自動復号機能を有する電子メールサーバ装置の場合などに、長期不在時の暗号化電子メールを受信した場合など、自動的に電子メールが復号されてしまうため、せっかく暗号化されて送信されたメールが、復号された状態でサーバ上に長期間放置されてしまうこととなり、不正アクセスなどによって読み取られてしまう危険性が高まり、セキュリティ上の問題が生じてしまう可能性がある。アカウント毎に暗号化メールの復号をするか否かの設定が可能であれば、長期不在になるユーザが自分のアカウントのメールの復号を一時的に停止する設定を行えるので、このような不都合が解消されることとなる。
【０００５】
本発明は上記事情に鑑みてなされたものであり、その目的とするところは、受信メールの取り扱いを柔軟に設定可能な利便性の良い電子メールサーバ装置を提供することにある。
【課題を解決するための手段】
【０００６】
本発明によれば、メールを受信する受信部と、
アカウント毎に前記メールの処理内容を示すメール処理情報を対応付けて記憶する管理テーブルと、
前記メールを受信したとき、前記管理テーブルにアクセスし、前記メールの宛先のアカウントに対応する前記メール処理情報を取得し、前記メールに対する処理内容を判別する判別部と、
前記判別部が判別した前記処理内容を前記メールに施す処理部と、
を備えたことを特徴とする電子メールサーバ装置が提供される。
【０００７】
ここで、電子メールサーバ装置は、暗号化メールや署名付きメールを受信し、それぞれ復号したり、署名のパス検証を行ったりする機能を有する。
【０００８】
この発明によれば、アカウント毎に、受信したメールの処理内容を指定することができるので、たとえば、暗号化メールを復号したり、署名付きメールの署名のパス検証を行ったりする機能をサーバにて行うか否かをアカウント毎に指定することができるので、受信メールの取り扱いを柔軟に設定可能となり、利便性が増す。
【０００９】
上記電子メールサーバ装置において、前記メールは、暗号化メールを含み、前記管理テーブルは、アカウント毎に前記暗号化メールを復号するか否かを示す復号情報を対応付けて記憶し、前記判別部は、前記暗号化メールを受信したとき、前記管理テーブルにアクセスし、前記暗号化メールの宛先のアカウントに対応する前記復号情報を取得し、前記暗号化メールを復号するか否かを判別し、前記処理部は、前記判別部が前記暗号化メールを復号すると判別した前記暗号化メールを復号する復号部を含むことができる。
【００１０】
この構成によれば、受信した暗号化メールを電子メールサーバ側で復号するか否かをアカウント毎に設定できるので、クライアントの都合に合わせて設定が可能となり利便性が増す。たとえば、長期不在時などは、復号せずに、暗号化メールのまま保存しておく設定とすることなどが可能となる。これにより、たとえば、長期不在時などに復号された状態でメールがサーバ上に長期間放置されることもなくなるので、セキュリティが向上する。
【００１１】
上記電子メールサーバ装置において、前記メールは、電子署名付き署名メールを含み、前記管理テーブルは、アカウント毎に前記署名メールの前記電子署名をパス検証するか否かを示す検証情報を対応付けて記憶し、前記判別部は、前記署名メールを受信したとき、前記管理テーブルにアクセスし、前記署名メールの宛先のアカウントに対応する前記検証情報を取得し、前記署名メールの前記電子署名をパス検証するか否かを判別し、前記処理部は、前記判別部が前記署名メールをパス検証すると判別した前記署名メールをパス検証する検証部を含むことができる。
【００１２】
この構成によれば、受信した署名付きメールを電子メールサーバ側でパス検証するか否かを設定できるので、クライアントの都合に合わせて設定が可能となり利便性が増す。
【００１３】
上記電子メールサーバ装置において、前記管理テーブルの変更指示を受け付ける受付部と、前記受付部が受け付けた前記変更指示に従って、前記管理テーブルを変更する変更部と、を含むことができる。
【００１４】
ここで、受付部は、たとえば、クライアントからの所定のメールアドレスに対するコマンドを受信し、変更部が受信コマンドに従って管理テーブルの設定を変更することができる。あるいは、受付部は、管理テーブルの設定画面をネットワークを介してクライアント装置に提供し、設定画面上にクライアントが入力した設定を受け付け、変更部が入力された設定に従って管理テーブルの設定を変更することができる。あるいは、電子メールサーバ装置の管理者が操作部を操作して入力した設定を受け付け、管理テーブルの設定を変更することもできる。
【００１５】
この構成によれば、管理テーブルの設定をユーザまたは管理者が変更することができるので、利便性が向上する。
【００１６】
上記電子メールサーバ装置において、前記受信部が受信した前記メールを格納するメール格納部を含み、前記管理テーブルは、前記メール格納部に格納されている前記メールに対して前記変更指示を受け付けたときに前記処理内容を実施するか否かを示す変更情報をアカウント毎に対応付けて記憶し、前記判別部は、前記変更指示を受け付けたとき、前記管理テーブルにアクセスし、前記変更指示を受け付けたアカウントに対応する前記変更情報を取得し、前記メール格納部の前記メールに対して前記処理内容を実施するか否かを判別し、前記処理部は、前記判別部が前記メール格納部の前記メールに対して前記処理内容を実施すると判別した前記アカウントの前記メールに対して前記処理内容を実施することができる。
【００１７】
この構成によれば、変更指示を受け付ける前に既に受信していたメールに対しても、必要に応じて処理を施すことが可能となるので、利便性が増す。
【００１８】
また、上記電子メールサーバ装置において、前記処理部の前記処理内容の結果を記録する記録部を含むことができる。上記電子メールサーバ装置において、前記記録部は、前記受信部が受信した前記メールに前記結果を挿入する挿入部を含むことができる。上記電子メールサーバ装置において、前記記録部が記録した前記結果の履歴を記憶する履歴記憶を含むことができる。
【００１９】
なお、以上の構成要素の任意の組合せ、本発明の表現を方法、装置、システム、記録媒体、コンピュータプログラムなどの間で変換したものもまた、本発明の態様として有効である。
【発明の効果】
【００２０】
本発明によれば、受信メールの取り扱いを柔軟に設定可能な利便性の良い電子メールサーバ装置が提供される。
【発明を実施するための最良の形態】
【００２１】
以下、本発明の実施の形態について、図面を用いて説明する。尚、すべての図面において、同様な構成要素には同様の符号を付し、適宜説明を省略する。
【００２２】
図１は、本発明の実施の形態に係る電子メールサーバ装置を示す機能ブロック図である。本実施形態の電子メールサーバ装置１０は、メールを受信する受信部（インタフェース部１２およびメール受信部１４）と、アカウント毎にメールの処理内容を示すメール処理情報を対応付けて記憶する管理テーブル（管理テーブル２０）と、メールを受信したとき、管理テーブルにアクセスし、受信メールの宛先のアカウントに対応するメール処理情報を取得し、メールに対する処理内容を判別する判別部（判定部１８）と、判別部が判別した処理内容をメールに施す処理部（処理部３０）と、を備える。
【００２３】
電子メールサーバ装置１０は、たとえば、ＬＡＮやインターネットなどのネットワーク１に接続され、ネットワーク１に接続される複数の端末３からメールを受信するとともに、端末３からのメール受信要求に応じて、メールを配信する。あるいは、電子メールサーバ装置１０は、ネットワークスキャナ、インターネットファクシミリ装置、ＭＦＰなどの本体に、ネットワーク１を介して接続される拡張ボードに含まれてもよい。なお、図１において、本発明の本質に関わらない部分の構成については省略してある。
【００２４】
また、電子メールサーバ装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２５】
図１に示すように電子メールサーバ装置１０は、インタフェース部１２（図中、「Ｉ／Ｆ」と示す）と、メール受信部１４と、メール格納部１６と、判定部１８と、管理テーブル２０と、処理部３０と、メール送信部４０と、備えている。
【００２６】
インタフェース部１２は、ネットワーク１を介して複数の端末３と通信を行う。メール受信部１４は、ネットワーク１を介して端末３からメールを受信する。メール格納部１６は、メール受信部１４が受信したメールを受信メールの宛先のアカウント毎に格納する。管理テーブル２０は、アカウント毎に、メールの処理内容を示す処理情報を対応付けて記憶する。詳細については、後述する。
【００２７】
判定部１８は、メール受信部１４がメールを受信したとき、管理テーブル２０にアクセスし、メールの宛先のアカウントに対応するメール処理情報を取得し、メールに対する処理内容を判別する。
【００２８】
処理部３０は、復号部３２および検証部３４を含む、復号部３２は、受信した暗号化メールを復号する。検証部３４は、受信した署名付きメールの署名のパス検証を行う。メール送信部４０は、メール格納部１６に格納された受信メールを、ネットワーク１上の端末３からの要求に応じてインタフェース部１２を介して該当する端末３に送信する。
【００２９】
図２は、本実施形態の電子メールサーバ装置１０の管理テーブル２０の設定を行うための構成を示す機能ブロック図である。電子メールサーバ装置１０は、設定情報提示部５０と、受付部５２と、変更部５４と、判別部５６と、を含む。
【００３０】
設定情報提示部５０は、管理テーブル２０に含まれる処理情報をインタフェース部１２を介してネットワーク１上の端末３に提示する。端末３において、たとえば、Ｗｅｂブラウザ（不図示）などを用いて電子メールサーバ装置１０にアクセスし、設定情報提示部５０が提示する設定画面（不図示）を端末３の表示部（不図示）上に表示させることができる。設定情報提示部５０は、端末３から要求されたアカウントに対応する処理情報を管理テーブル２０から取得して設定画面に表示させる。ここで、端末３は、たとえば、予め登録されているパスワードの入力などによって電子メールサーバ装置１０にログインし、管理テーブル２０へのアクセスを許可されるものとする。
【００３１】
受付部５２は、ネットワーク１上の端末３からインタフェース部１２および設定情報提示部５０を介して管理テーブル２０に設定されている処理情報の変更指示を受け付ける。あるいは、受付部５２は、所定のフォーマットで記載されたメールをメール受信部１４が受信することにより、管理テーブル２０に設定されている処理情報の変更指示を受け付けることができる。あるいは、受付部５２は、電子メールサーバ装置１０の管理者が、設定情報提示部５０が提示した設定画面から図示されない操作部を操作して変更した設定を受け付けでもよい。
【００３２】
変更部５４は、受付部５２が受け付けた変更指示に従って、管理テーブル２０に設定されている処理情報を変更する。なお、本実施形態において、管理テーブル２０の設定が変更されたとき、既にメール格納部１６に格納されている受信メールに対して、変更された設定を反映させるか否かを設定することができる。すなわち、たとえば、暗号化メールの復号を行わない設定から復号を行う設定に変更された場合、既にメール格納部１６に格納されている受信メールに対して、変更を反映させるか否かを設定することができる。従って、反映させる設定になっていた場合、既にメール格納部１６に格納されている受信メールに対して、処理部３０の復号部３２が復号を行う。判別部５６は、この既受信メールへの変更反映を行う設定か否かを判別し、変更反映を行う設定の場合は、設定変更がなされたとき、処理部３０に対して、メール格納部１６に格納されている既受信メールに対して、各処理を行うように指示する。
【００３３】
図３は、本実施形態の電子メールサーバ装置１０の処理結果を記録するための構成を示す機能ブロック図である。電子メールサーバ装置１０は、記録部６０と、ログファイル記憶部６２（図中、「ログファイル」と示す）と、挿入部６４と、を含む。記録部６０は、処理部３０での処理の履歴を、メールへの挿入文書またはログファイルによって記録する。図４に示すように、挿入文書７０は、たとえば、復号処理した日時７２、受信メールの送信元アカウント７３、送信先アカウント７４、および復号結果７５やパス検証結果７６などを含むことができる。
【００３４】
ログファイル記憶部６２は、記録部６０が記録したログファイルを格納する。ログファイルは、アカウント毎に記録され、電子メールサーバ装置１０の操作部を介して管理者が参照したり、あるいはインタフェース部１２を介してネットワーク１上の各端末３からたとえば、Ｗｅｂブラウザなどを利用して参照することができるものとする。
【００３５】
図５は、本実施形態の管理テーブル２０の構造の一例を示す図である。管理テーブル２０は、アカウント８０毎に、復号処理を行うか否かの復号設定８２（図中、「復号」と示す）と、パス検証を行うか否かのパス検証設定８３（図中、「パス検証」と示す）と、復号やパス検証の結果を挿入文書として記録するか、ログファイルに記録するかの結果設定８４（図中、「結果」と示す）と、既受信分への変更反映を行うか否かの変更反映設定８５（図中、「既受信分への変更反映」と示す）と、を含む。
【００３６】
このように構成された本実施形態の電子メールサーバ装置１０の動作について、以下に説明する。図６は、本実施形態の電子メールサーバ装置１０の動作の一例を示すフローチャートである。以下、図１乃至図６を用いて説明する。
【００３７】
まず、電子メールサーバ装置１０において、メール受信部１４が、インタフェース部１２を介してネットワーク１上の端末３からのメール受信を監視する（Ｓ１１）。メール受信部１４がメールを受信すると（Ｓ１１のＹＥＳ）、判定部１８が、受信メールが署名付きメールか否かを判別する（Ｓ１３）。署名付きメールの場合（Ｓ１３のＹＥＳ）、判定部１８は、管理テーブル２０にアクセスし、受信メールの宛先のアカウント８０のパス検証を行うか否かのパス検証設定８３を参照し、パス検証を行う設定の場合（Ｓ１５のＹＥＳ）、検証部３４が受信メールの署名のパス検証を行う（Ｓ１７）。そして、ステップＳ１７のパス検証の結果を一時的に一時記憶部（不図示）に記憶し、検証部３４が受信メールから署名を削除する（Ｓ１９）。
【００３８】
受信メールに署名が添付されていない場合（Ｓ１３のＮＯ）、またはパス検証を行わない設定の場合（Ｓ１５のＮＯ）、ステップＳ１７およびステップＳ１９をバイパスし、ステップＳ２１に進む。
【００３９】
ステップＳ２１では、判定部１８が、受信メールが暗号化メールか否かを判別する。暗号化メールの場合（Ｓ２１のＹＥＳ）、判定部１８は、管理テーブル２０にアクセスし、受信メールの宛先のアカウント８０の復号を行うか否かの復号設定８２を参照し、復号を行う設定の場合（Ｓ２３のＹＥＳ）、復号部３２が受信メールを復号する（Ｓ２５）。そして、ステップＳ２５の復号結果を一時的に一時記憶部に記憶する（Ｓ２７）。つづいて、復号部３２が、平文メールに再整形し、メール格納部１６に格納する（Ｓ２９）。
【００４０】
受信メールが暗号化メールでない場合（Ｓ２１のＮＯ）、または復号を行わない設定の場合（Ｓ２３のＮＯ）、ステップＳ２５〜ステップＳ２９をバイパスし、ステップＳ３１に進む。
【００４１】
ステップＳ３１では、記録部６０がステップＳ１９またはステップＳ２７で一時記憶部に記憶された復号または検証結果があるか否かを判定し、結果がある場合（Ｓ３１のＹＥＳ）、さらに記録部６０は、管理テーブル２０にアクセスし、結果設定８４が挿入文書か否かを判別する（Ｓ３３）。挿入文書を含む場合（Ｓ３３のＹＥＳ）、結果を含む挿入文書７０を生成し、挿入部６４に、挿入文書７０をメールに挿入させる（Ｓ３５）。挿入文書を含まない場合（Ｓ３３のＮＯ）、ステップＳ３７に進む。
【００４２】
つづいて、記録部６０は、管理テーブル２０にアクセスし、結果設定８４がログか否かを判別する（Ｓ３７）。ログを含む場合（Ｓ３７のＹＥＳ）、記録部６０はログファイルに記録し、ログファイル記憶部６２に格納する（Ｓ３９）。ログを含まない場合（３７のＮＯ）、ステップＳ４１に進む。また、ステップＳ３１で復号または検証結果がない場合（Ｓ３１のＮＯ）もステップＳ４１に進む。
【００４３】
ステップＳ４１では、上述の処理を施された受信メールがメール格納部１６にアカウント毎に格納される。このように、受信されたメールを管理テーブル２０に設定されている処理内容に従って処理することが可能となる。
【００４４】
次に、管理テーブル２０の設定を変更した時の動作について、以下に説明する。図１乃至図５を用いて説明する。
【００４５】
図５の管理テーブル２０において、あるアカウント８０（ＸＸＸ１）の復号設定８２をＮからＹに変更する指示を受付部５２が受け付ける。変更部５４は、受付部５２が受け付けた変更内容に従って管理テーブル２０の該当するアカウント８０（ＸＸＸ１）の復号設定８２を変更する。一方、判別部５６は、受付部５２が変更を受け付けたことを受けて、管理テーブル２０にアクセスし、変更反映設定８５の設定を参照し、変更を反映するか否かを判別する。ここでは、変更反映設定８５にＹが設定されているので、判別部５６は処理部３０に対し、既にメール格納部１６に格納されている受信メールに対して、暗号化メールの復号を指示する。
【００４６】
また、記録部６０は、管理テーブル２０にアクセスし、結果設定８４が「文書」となっているので、復号結果を挿入文書７０として生成し、挿入部６４に、挿入文書７０を該当するメールに挿入させ、メール格納部１６に格納する。このように、変更指示を受け付ける以前に既に受信していたメールに対しても、必要に応じて処理を施すことが可能となるので、利便性が増す。
【００４７】
以上説明したように、本発明の実施の形態の電子メールサーバ装置１０によれば、管理テーブル２０に受信メールの処理内容の設定をアカウント毎に対応付けて記憶し、受信メールの処理を管理テーブル２０に従って行うことができるので、受信メールの取り扱いが柔軟に設定可能となり、利便性が向上する。
【００４８】
また、受信した暗号化メールを電子メールサーバ装置１０で復号するか否かや、受信した署名付きメールをパス検証するか否かをアカウント毎に設定できるので、クライアントの都合に合わせて設定が可能となり利便性が増す。たとえば、長期不在時などは、復号せずに、暗号化メールのまま保存しておく設定とすることなどが可能となる。これにより、たとえば、長期不在時などに復号された状態でメールがサーバ上に長期間放置されることもなくなるので、セキュリティが向上する。
【００４９】
以上、図面を参照して本発明の実施形態について述べたが、これらは本発明の例示であり、上記以外の様々な構成を採用することもできる。
【図面の簡単な説明】
【００５０】
【図１】本発明の実施の形態に係る電子メールサーバ装置の構成を示す機能ブロック図である。
【図２】図１の電子メールサーバ装置の管理テーブルの設定を行うための構成を示す機能ブロック図である。
【図３】図１の電子メールサーバ装置の処理結果を記録するための構成を示す機能ブロック図である。
【図４】図３の電子メールサーバ装置の記録部が生成する挿入文書の一例を示す図である。
【図５】図１の管理テーブルの構造の一例を示す図である。
【図６】図１の電子メールサーバ装置の動作の一例を示すフローチャートである。
【符号の説明】
【００５１】
１  ネットワーク
３  端末
１０  電子メールサーバ装置
１２  インタフェース部
１４  メール受信部
１６  メール格納部
１８  判定部
２０  管理テーブル
３０  処理部
３２  復号部
３４  検証部
４０  メール送信部
５０  設定情報提示部
５２  受付部
５４  変更部
５６  判別部
６０  記録部
６２  ログファイル記憶部
６４  挿入部
７０  挿入文書
【図１】
2006210995.tif 000003
【図２】
2006210995.tif 000004
【図３】
2006210995.tif 000005
【図４】
2006210995.tif 000006
【図５】
2006210995.tif 000007
【図６】
2006210995.tif 000008